(57)【要約】【課題】指向性の強い高音用スピーカユニットに装着して指向性を改善でき、しかも指向性の調整制御が容易で、音質を劣化させないスピーカ用ディフューザと、これを備えたスピーカユニットを提供する。【解決手段】振動板５とディフューザ６とを備えるスピーカユニットであり、ディフューザ６は、振動板５の中心部に対向配置されるディフューザ本体６１を有する。ディフューザ本体６１における振動板５との対向面には、ディフューザ本体６１が有する音波の伝搬速度よりも音波の伝搬速度が高く、且つディフューザ本体６１が有する内部損失よりも内部損失が小さいシート部材８が貼付されている。【選択図】図２
2010278692.tif 000002
【特許請求の範囲】
【請求項１】
第１の音波の伝搬速度及び第１の内部損失を有し、振動板の中心部に対向して配置されるディフューザ本体と、
前記第１の音波の伝搬速度よりも高い第２の音波の伝搬速度及び前記第１の内部損失よりも小さい第２の内部損失を有し、前記ディフューザ本体における前記振動板との対向面に貼付されたシート部材と、
を備えることを特徴とするスピーカ用ディフューザ。
【請求項２】
前記ディフューザ本体が合成樹脂製で、前記シート部材が金属製であることを特徴とする請求項１記載のスピーカ用ディフューザ。
【請求項３】
前記シート部材は、前記ディフューザ本体の中心部を通る帯状の形態、もしくは前記ディフューザ本体の内周部から外周部に向けて放射状に広がる複数の突片部を有する形態であることを特徴とする請求項１又は２記載のスピーカ用ディフューザ。
【請求項４】
振動板と、
第１の音波の伝搬速度及び第１の内部損失を有し、振動板の中心部に対向して配置されるディフューザ本体を有するディフューザと、
前記第１の音波の伝搬速度よりも高い第２の音波の伝搬速度及び前記第１の内部損失よりも小さい第２の内部損失を有し、前記ディフューザ本体における前記振動板との対向面に貼付されたシート部材と、
を備えることを特徴とするディフューザ付スピーカユニット。
【請求項５】
前記ディフューザ本体が合成樹脂製で、前記シート部材が金属製であることを特徴とする請求項４記載のディフューザ付スピーカユニット。
【請求項６】
前記シート部材は、前記ディフューザ本体の中心部を通る帯状の形態、もしくは前記ディフューザ本体の内周部から外周部に向けて放射状に広がる複数の突片部を有する形態であることを特徴とする請求項４又は５記載のディフューザ付スピーカユニット。
【発明の詳細な説明】
【技術分野】
【０００１】
本発明は、スピーカの周波数特性を平坦化したり指向性を改善したりするのに用いられるディフューザと、その種のディフューザを備えたスピーカユニットに関する。
【背景技術】
【０００２】
従来、スピーカの周波数特性を平坦化したり、指向性を改善したりすることを目的として、振動板に対向してディフューザを配置することが一般に広く行われている（例えば、特許文献１）。
【先行技術文献】
【特許文献】
【０００３】
【特許文献１】特開平１−２５６８９８号公報
【発明の概要】
【発明が解決しようとする課題】
【０００４】
しかしながら、従来のディフューザでは、周波数特性の平坦化や指向性に関してある程度の改善効果を得られているが、高域での音の広がり（高指向性）について改善の余地があった。
【０００５】
特に、従来のディフューザは、成形性の観点からプラスチックが多用されているので、高域の音の広がりに乏しく、音場感に欠けるという問題があった。
【０００６】
高域の音を広げるには、音波の伝搬速度が高く内部損失の小さい金属系材料を用いてディフューザを成形すればよいが、金属系材料から複雑形状のディフューザを一体成形することは難しくコスト高になり、しかも金属系材料のみから作られるディフューザでは、高音域のみ強調されてしまったり、残響を生じたりして忠実再生に支障を来たす可能性がある。又、ディフューザによる音響特性には、その形状や振動板までの距離が大きく関係するので、所定形状に成形されたディフューザにおいて、それによる音響特性を後から調整したり制御したりすることは至極困難となる。
【０００７】
尚、スピーカユニットに接続するアンプには、周波数特性を調整するためのイコライザ回路が設けられるが、イコライザ回路による電気的な信号処理では指向性を調整することはできない。
【０００８】
本発明は以上のような事情に鑑みて成されたものであり、その目的は指向性の強い高音用スピーカユニットに装着して指向性を改善でき、しかも指向性の調整制御が容易で、音質を劣化させないスピーカ用ディフューザと、これを備えたスピーカユニットを提供することにある。
【課題を解決するための手段】
【０００９】
上記目的を達成するため、本発明に係るスピーカ用ディフューザ６は、第１の音波の伝搬速度及び第１の内部損失を有し、振動板５の中心部に対向して配置されるディフューザ本体６１と、前記第１の音波の伝搬速度よりも高い第２の音波の伝搬速度及び前記第１の内部損失よりも小さい第２の内部損失を有し、前記ディフューザ本体６１における前記振動板５との対向面に貼付されたシート部材８と、を備えることを特徴とする。
【００１０】
更に、本発明に係るディフューザ付スピーカユニットは、
振動板５と、
第１の音波の伝搬速度及び第１の内部損失を有し、前記振動板５の中心部に対向して配置されるディフューザ本体６１を有するディフューザ６と、
前記第１の音波の伝搬速度よりも高い第２の音波の伝搬速度及び前記第１の内部損失よりも小さい第２の内部損失を有し、前記ディフューザ本体６１における前記振動板５との対向面に貼付されたシート部材８と、を備えることを特徴とする。
【００１１】
加えて、前記ディフューザ本体６１が合成樹脂製で、前記シート部材８が金属製であることを特徴とする。
【００１２】
又、前記シート部材８は、前記ディフューザ本体６１の中心部を通る帯状の形態、もしくは前記ディフューザ本体６１の内周部から外周部に向けて放射状に広がる複数の突片部８２を有する形態であることを特徴とする。
【発明の効果】
【００１３】
本発明に係るディフィーザ及びこれを備えたスピーカユニットによれば、振動板の中心部に対向配置されるディフューザ本体を有し、そのディフューザ本体における振動板との対向面に、ディフューザ本体よりも音波の伝搬速度が高く且つ内部損失が小さいシート部材が貼付されていることから、ディフューザ本体によりシート部材の共振による残響や共振音を抑制しながら、ディフューザ本体とシート部材の相互作用により高域を高音圧にして広範囲に広げることができる。
【００１４】
又、ディフューザ本体に対しシート部材が別体として貼付されるので、そのシート部材を形状の異なるものに付け替えるだけでスピーカの指向特性を容易に調整制御することができる。
【００１５】
加えて、ディフューザ本体が合成樹脂製のものでは低コストにして複雑な形状でも容易に成形することができ、これに貼付される金属製のシート部材では高音をクリア再生することができる。
【００１６】
更に、ディフューザ本体の中心部を通る帯状のシート部材、もしくはディフューザ本体の内周部から外周部に向けて放射状に広がる複数の突片部を有するシート部材では、ディフィーザ本体を全面的に被覆しないので、高音域が過度に強調されてしまったり、残響による異音の発生を抑制したりすることができ、しかもシート部材それ自体の長さ方向や突片部の延長方向を中心に音を拡散して高域の音場空間を拡大することができる。
【図面の簡単な説明】
【００１７】
【図１】本発明の一実施の形態に係るディフィーザ付スピーカユニットを示す正面図
【図２】図１のＸ−Ｘ断面図
【図３】ディフューザの装着部分を示す斜視分解図
【図４】本発明の一実施の形態に係るディフューザを示す拡大断面図
【図５】同ディフューザを裏側からみた底面図
【図６】本発明の一実施の形態と従来のディフューザ付スピーカの指向性パターンを示すグラフ
【図７】シート部材の変形例を示す説明図
【発明を実施するための形態】
【００１８】
以下、図面に基づいて本発明の一実施の形態を詳しく説明する。先ず、図１及び図２において、本発明のディフューザ付スピーカユニットの一実施の形態を説明すれば、係るスピーカユニットは動電型（ダイナミック型）のツイータである。１はスピーカユニットのフレームであり、このフレーム１には図２に示すように磁気回路２（図示例において外磁型）が取り付けられている。
【００１９】
磁気回路２は、厚さ方向に着磁されているリング状のマグネット２１と、マグネット２１の一方の磁極に装着されているリング状のトッププレート２２と、マグネット２１の他方の磁極に装着されているバックプレート２３と、バックプレート２３の中心に設けられているポールピース２４とにより構成されており、ポールピース２４とトッププレート２２との間にはマグネット２１の磁束が作用する磁気ギャップＧが形成されている。
【００２０】
トッププレート２２、バックプレート２３、及びポールピース２４は、磁気ギャップＧにマグネット２１の磁束を集めるヨークとなるもので、その磁気ギャップＧにはボイスコイル３が挿入される。尚、バックプレート２３及びポールピース２４を一体として成形することもある。
【００２１】
ボイスコイル３は、紙などからなる非導電性（アルミなどの導電性非磁性体を用いる場合もある）のコイルボビン３１の外周に、絶縁被膜を施した銅やアルミなどの導電線を巻き付けて巻線部３２とした構成であり、その内周にはポールピース２４の先端部が挿入され、外周の巻線部３２にはトッププレート２２の内周面が臨んでいる。そして、ボイスコイル３は、フレーム１にダンパ４を介して取り付けられ、そのダンパ４により前後方向（ボイスコイル３の中心を通る軸線の方向であって図２の上下方向）に移動可能に支持されており、その先端はドーム型の振動板５に接合している。
【００２２】
振動板５は、紙、木、又はポリプロピレンやポリエステルといった合成樹脂、アルミその他の金属、又は化学繊維などから形成されるドーム型の輻射器であり、これは図２から明らかなようにポールピース２４の先端面に対向してボイスコイル３の先端に被せられている。
【００２３】
そして、以上のように構成されるスピーカユニットによれば、磁気ギャップＧ内に発生する直流磁界の磁力線に直交するボイスコイル３（正確にはその巻線部３２）に音声電流を流すと、周知のようにボイスコイル３が軸方向の起振力を得て振動し、その振動が振動板５を介して空気振動に変換されることにより音を再生することができる。
【００２４】
尚、ドーム型の振動板５は、その前方における空気振動が球面波となるために音の広がりがよく、直進性の強い高音の再生に適するが、振動エネルギーを広範囲に拡散することになるために一定点での音圧レベルが低下してしまい、結果的に音圧レベルからみた指向特性は必ずしも良好とは言えない。
【００２５】
そこで、図１、図２のように、振動板５の前方（磁気回路とは反対側）においてディフューザ６（音響イコライザ）が設けられる。ディフューザ６は、振動板５に沿って三次曲面状に湾曲した円盤状のディフューザ本体６１と、このディフューザ本体６１を支持する一対の支持脚６２とを一体成形したものである。ディフューザ本体６１は振動板５の中心部に対向配置され、支持脚６２は振動板５上に跨り、その各下端にフレーム１に固定するためのフット部６２ａを有している。
【００２６】
図３に示すように、フット部６２ａは二段の円柱形であり、フレーム１にはフット部６２ａならびにフット部６２ａと支持脚６２との接続部分を嵌め込む鍵穴状の凹部１ａが形成されている。尚、７はフレーム１に装着される金属製のカバーリングであり、このカバーリング７は、ディフューザ６のフット部６２ａを遮蔽する化粧板として機能するほか、ディフューザ６をフレーム１の定位置に固定してその脱落を防止する役割を果たす。
【００２７】
次に、図４及び図５によりディフューザ６の構成をより詳しく説明すると、係るディフューザ６は、アクリル樹脂、ポリスチレン樹脂、又はＡＢＳ樹脂といった合成樹脂からなる一体成形物で、ディフューザ本体６１の裏面（図２に示される振動板５と対向する面）には、ディフューザ本体６１とは材質の異なるシート部材８が接着剤などにより貼付固定されている。シート部材８が有する音波の伝搬速度（以下、音速とする）は、ディフューザ本体６１が有する音速よりも高く、且つディフューザ本体６１が有する内部損失よりも内部損失が小さい部材、具体的にはアルミ、銅、チタンといった定形の金属シート（厚さ１０μ〜１０００μ）からなる。
【００２８】
音速（ヤング率Ｅ／密度ρの平方根）と内部損失（tanδ）は、音響性能を評価する指標となるもので、合成樹脂では材質によって異なるが、概して音速が１０００〜３０００ｍ／ｓ、内部損失が０．０２〜０．０８程度である。尚、上記のような合成樹脂よりも高音速、低内部損失の部材として、アルミニウム（音速５１１４ｍ／ｓ、内部損失０．００２）、銅（音速３８００ｍ／ｓ、内部損失０．００１）、ならびにチタン（音速５１４５ｍ／ｓ、内部損失０．００３）などの金属系のほか、木材系としてシナ（音速４８９６ｍ／ｓ、内部損失０．０１９）などが挙げられる。
【００２９】
ここに、ディフューザ６は合成樹脂から一体成形することに限らず、合成樹脂以外の材料から一体成形することもできる。その場合でもシート部材８には上記条件に照らしてディフィーザ本体６１よりも高音速、低内部損失の部材が選ばれる。
【００３０】
又、シート部材８も金属製に限らず、金属系以外の材料から成形することもできる。その場合でも上記条件に照らしてディフィーザ本体６１よりも高音速、低内部損失の部材（例えば木材シート）が選ばれる。加えて、シート部材８は、ディフューザ本体６１の裏面全体を覆う形態でも良いが、高域での共振音の発生を抑制するなどの観点から図５のようにディフューザ本体６１の裏面を部分的覆う形態とすることが好ましい。
【００３１】
図５において、シート部材８は、ディフューザ本体６１と同心の環状部８１の外周に複数（図示例において４つ）の突片部８２が連なり、その各突片部８２がディフューザ本体６１の内周部から外周部に向けて放射状に広がる形態とされる。
【００３２】
そして、上記のようなシート部材８をディフューザ本体６１に貼付固定したディフューザ６によれば、ディフューザ本体６１によりシート部材８の共振による残響、共振音を抑制しながら、ディフューザ本体６１とシート部材８の相互作用により高域の音を広げることができ、特にシート部材８の貼付により生ずる音響異方性により、突片部８２の延長方向（図示例において斜め上下方向）を中心に音を拡散して高域の音場空間を拡大することができる。
【００３３】
図６は、本実施の形態に係るディフューザと従来のディフューザを同一のスピーカユニットに装着し、それらスピーカユニットに１７ｋＨｚの音声信号を入力したときの水平方向の指向性パターンを示す。尚、図６において、実線は本実施の形態に係るディフィーザ付スピーカユニットの指向性パターンを示し、一点鎖線は従来のディフューザ付スピーカユニットの指向性パターンを示す。又、従来のディフューザはアクリル樹脂の一体成形品であり、そのディフューザ（円盤状ディフューザ本体の裏面）に図５に示されるような形態のアルミ製のシート部材８（厚さ１００μ）を貼付したものを本実施の形態に係るディフューザとした。
【００３４】
図６から明らかなように、本実施の形態に係るディフューザ付スピーカは、従来のディフューザ付スピーカに比べ、ほぼ全方向で音圧レベルが向上しており、特に後方（１２０〜１６０度、及び２１０〜２５０度の範囲）で大きな音圧レベルの向上がみられる。これにより、本実施の形態に係るディフューザ６によれば、高音域での指向特性に大きな改善効果を有することが判る。
【００３５】
以上、本発明の好適な実施の形態について説明したが、本発明はドーム型スピーカに限らず、平面型スピーカやコーン型スピーカにも適用することができる。
【００３６】
更に、シート部材８は図５のような形態に限らず、図７(ａ)〜(ｊ)に示すような形態としてもよい。尚、(ａ)〜(ｆ)のシート部材８は、いずれもディフューザ本体６１の内周部から外周部に向けて放射状に広がる突片部８２を有する形態のもので、(ａ)は図５に示すシート部材８の環状部８１を中心孔の無い円形部８３としたもの、(ｂ)はディフューザの支持脚６２に対する突片部８２の向きを変えたもの、(ｃ)及び(ｄ)は環状部８１の中心孔の変形例、(ｅ)及び(ｆ)は環状部８１がなくディフューザ本体６１の中心で突片部８２が直接連なっているものである。又、(ｇ)〜(ｊ)のシート部材８は、ディフューザ本体６１の中心部を通る帯状の形態としたものである。
【符号の説明】
【００３７】
５  振動板
６  ディフューザ
６１  ディフューザ本体
８  シート部材
８１  環状部
８２  突片部
【図１】
2010278692.tif 000003
【図２】
2010278692.tif 000004
【図３】
2010278692.tif 000005
【図４】
2010278692.tif 000006
【図５】
2010278692.tif 000007
【図６】
2010278692.tif 000008
【図７】
2010278692.tif 000009